(57)【要約】【課題】  人の入退出を把握する入退出機と、携帯端末機の入出庫を把握可能な保管庫、及び、保管庫から出庫した携帯端末機の存在を把握するリーダからの信号を組み合わせるのみで、可能な限り高精度に人及び携帯端末機の状態を把握可能な位置情報管理システムを提供すること。【解決手段】  入退出機２２からの被管理対象者３の最新の入場信号又は退場信号、第１のリーダ３３からの携帯端末機５の最新の入庫信号又は退庫信号、及び、第２のリーダ４３ａ，４３ｂからの携帯端末機５の最新の検知信号又は不検知信号とを組み合わせて、被管理対象者３及びその携帯端末機５の状態を把握して、外部に出力可能であり、把握した状態に矛盾がある場合は、位置情報管理サーバー１０は、入退出機２２からの信号を最優先し、第１のリーダ３３からの信号を次に優先して、把握している矛盾状態を矛盾のない状態へと補正し、外部に出力可能であること。【選択図】図１
2014092916.tif 000002
【特許請求の範囲】
【請求項１】
被管理対象者、及び、被管理対象者に割り当てられ、ＲＦＩＤタグが内蔵又は貼付された携帯端末機の状態を管理する位置情報管理システムであって、
被管理対象者の特定ができた場合にのみ通過が可能な単数又は複数の入退出機と、
前記携帯端末機の前記無線タグが有する情報を読み取り可能な単数又は複数の第１のリーダを保管スペースに備えて、前記携帯端末機の入出庫を確認可能な単数又は複数の保管庫と、
前記入退出機によって区切られた領域の内部の少なくとも一領域に前記携帯端末機が存在するか否かを確認可能な単数又は複数の第２のリーダと、
前記入退出機、前記第１のリーダ及び第２のリーダからの信号を利用して、被管理対象者及び携帯端末機の状態を把握する位置情報管理サーバとを備え、
当該位置情報管理サーバーは、前記入退出機、前記第１のリーダ及び第２のリーダからの信号を受信して、記憶可能な位置情報データベースを有し、
前記位置情報管理サーバーは、前記位置情報データベースに記憶された前記入退出機からの前記被管理対象者の最新の入場信号又は退場信号、前記第１のリーダからの前記携帯端末機の最新の入庫信号又は退庫信号、及び、前記第２のリーダからの前記携帯端末機の最新の検知信号又は不検知信号とを組み合わせて、前記被管理対象者及び前記携帯端末機の状態を把握して、外部に出力可能であり、
前記位置情報管理サーバーが把握した前記被管理対象者及び前記携帯端末機の状態に矛盾がある場合は、前記位置情報管理サーバーは、前記入退出機からの信号を最優先し、前記第１のリーダからの信号を次に優先して、把握している矛盾状態を矛盾のない状態へと補正し、外部に出力可能であることを特徴とする位置情報管理システム。
【請求項２】
前記矛盾状態においては、前記第２のリーダからの検知信号又は不検知信号を、他方の検知信号又は不検知信号へと強制的に変更して補正を行うことを特徴とする請求項１に記載の位置情報管理システム。
【請求項３】
前記位置情報管理サーバーは、前記入退出機、前記第１のリーダ又は前記第２のリーダの何れかからの信号を受信した場合、受信した当該信号を前記位置情報データベースに記憶するとともに、受信した前記信号以外の他の前記入退出機、前記第１のリーダ又は前記第２のリーダの何れか２つからの最新の信号を前記位置情報データベースから読み出して、３つの信号の組み合わせを行い、前記被管理対象者及び前記携帯端末機の状態を把握して、外部に出力可能であることを特徴とする請求項１又は請求項２に記載の位置情報管理システム。
【請求項４】
前記被管理対象者及び前記携帯端末機の状態により、アラームを発報可能であることを特徴とする請求項１乃至請求３のうち、いずれか１に記載の位置情報管理システム。
【請求項５】
前記入退出機は、前記被管理対象者の生体情報、又は、当該被管理対象者が保持するＩＤカードに記憶された情報を読み取ることによって当該被管理対象者を特定可能であることを特徴とする請求項１乃至請求４のうち、いずれか１に記載の位置情報管理システム。
【発明の詳細な説明】
【技術分野】
【０００１】
本発明は、人の入退出を把握する入退出機と、携帯端末機の入出庫を把握可能な保管庫、及び、保管庫から出庫した携帯端末機の存在を把握するリーダからの信号を組み合わせるのみで、可能な限り高精度に人及び携帯端末機の状態を把握可能な位置情報管理システムに関する。
【背景技術】
【０００２】
近年、従業員の使用する席が固定されていないフリーアドレスオフィスの環境が増えつつある。机と椅子が用意された部屋に、従業員が携帯電話や携帯端末機（ノートパソコン）を所持して、空いている机で仕事を行い、書類等は、全て個人用又は共用のロッカーや、キャビネットに保管し、特定の個人専用の作業スペースを設けないのが特徴である。
【０００３】
個人が特定の机を持たないために個人の持ち物が大幅に削減でき、また、個人用又は共用のロッカーや、キャビネットに所持品を保管して退社するため、セキュリティの向上や、電子化による紙の書類を削減、オフィス環境の美感の向上、オフィス面積の縮小化等、効果がある。
【０００４】
しかしながら、従業員の作業場所が、空いている机で行われることから、その都度、作業場所（着座場所）が異なり、従業員がどの位置で作業を行っているのか把握しづらく、また、社内にいるのか社外にいるのか、社内にいてもどのような状況なのかさえも把握しづらい状況が生じている。
【０００５】
また、携帯端末機を机上に固定していないために、自在に持ち運びができ、無許可で社外に持ち出すことが可能である、他者の携帯端末機を使用してもその不正使用を見抜きにくい等、携帯端末機について、新たなセキュリティ上の問題が発生している。
【０００６】
特許文献１には、ＩＤ情報を記憶している電子タグを、パソコン等の資産に貼付し、資産管理データベースに、前記電子タグのＩＤと資産管理番号や製造番号等とを対応づけて記憶し、パソコン等の資産の正規の持ち出しの際には、持ち出し者がコンピュータを介して持ち出し申請を行い、上司がパソコン等の資産の持ち出しを許可すると、資産管理データベースの資産管理の情報を持ち出し許可状態にするとともに、出入り口の窓口に設置されている資産持ち出し許可装置等が、パソコン等の資産に貼付されている電子タグが記憶しているＩＤを読み取って、記憶している持出承認情報と比較し、資産持ち出しチェックを行ない、不正な持ち出し時は警報音やランプ点灯などを行い、持ち出しを防止することができる資産持出管理システムが開示されている。
【先行技術文献】
【特許文献】
【０００７】
【特許文献１】特許３９５２０３２号公報
【発明の概要】
【発明が解決しようとする課題】
【０００８】
しかしながら、特許文献１は、電子タグと持ち出し許可状態の資産管理データベースの資産管理の情報によって、不正な社外持ち出しを防止することができるが、社内（フリーアクセス内）での不正使用、例えば、パソコン等を使用する権限がない者が使用する等の不正使用を防止することはできない。
【０００９】
また、特許文献１においては、パソコンの持ち出し管理を行えるものの、パソコンの使用者、即ち、従業員の位置や、その状態までも把握することはできない。
【００１０】
さらに、従業員の位置や、その状態を把握するべく、例えば、パソコンの使用者自体に電子タグを内蔵したＩＤカードを携帯させ、常時、その位置等を把握することも可能であるが、常時、位置を特定されることの従業員の心理的負担や、個人の行動を常時監視することには、法律問題として避ける社会的状況が存在する。
【００１１】
そこで本発明は、人の入退出を把握する入退出機と、携帯端末機の入出庫を把握可能な保管庫、及び、保管庫から出庫した携帯端末機の存在を把握するリーダからの信号を組み合わせるのみで、可能な限り高精度に人及び携帯端末機の状態を把握可能な位置情報管理システムを提供する。
【課題を解決するための手段】
【００１２】
上記目標達成のため、本発明に係る位置情報管理システムは、被管理対象者、及び、被管理対象者に割り当てられ、ＲＦＩＤタグが内蔵又は貼付された携帯端末機の状態を管理する位置情報管理システムであって、被管理対象者の特定ができた場合にのみ通過が可能な単数又は複数の入退出機と、前記携帯端末機の前記無線タグが有する情報を読み取り可能な単数又は複数の第１のリーダを保管スペースに備えて、前記携帯端末機の入出庫を確認可能な単数又は複数の保管庫と、前記入退出機によって区切られた領域の内部の少なくとも一領域に前記携帯端末機が存在するか否かを確認可能な単数又は複数の第２のリーダと、前記入退出機、前記第１のリーダ及び第２のリーダからの信号を利用して、被管理対象者及び携帯端末機の状態を把握する位置情報管理サーバとを備え、当該位置情報管理サーバーは、前記入退出機、前記第１のリーダ及び第２のリーダからの信号を受信して、記憶可能な位置情報データベースを有し、前記位置情報管理サーバーは、前記位置情報データベースに記憶された前記入退出機からの前記被管理対象者の最新の入場信号又は退場信号、前記第１のリーダからの前記携帯端末機の最新の入庫信号又は退庫信号、及び、前記第２のリーダからの前記携帯端末機の最新の検知信号又は不検知信号とを組み合わせて、前記被管理対象者及び前記携帯端末機の状態を把握して、外部に出力可能であり、前記位置情報管理サーバーが把握した前記被管理対象者及び前記携帯端末機の状態に矛盾がある場合は、前記位置情報管理サーバーは、前記入退出機からの信号を最優先し、前記第１のリーダからの信号を次に優先して、把握している矛盾状態を矛盾のない状態へと補正し、外部に出力可能であることを特徴とする。
【００１３】
また、本発明に係る位置情報管理システムは、前記矛盾状態においては、前記第２のリーダからの検知信号又は不検知信号を、他方の検知信号又は不検知信号へと強制的に変更して補正を行うことを特徴とする。
【００１４】
また、本発明の前記位置情報管理サーバーは、前記入退出機、前記第１のリーダ又は前記第２のリーダの何れかからの信号を受信した場合、受信した当該信号を前記位置情報データベースに記憶するとともに、受信した前記信号以外の他の前記入退出機、前記第１のリーダ又は前記第２のリーダの何れか２つからの最新の信号を前記位置情報データベースから読み出して、３つの信号の組み合わせを行い、前記被管理対象者及び前記携帯端末機の状態を把握して、外部に出力可能であることを特徴とする。
【００１５】
また、本発明に係る位置情報管理システムは、前記被管理対象者及び前記携帯端末機の状態により、アラームを発報可能であることを特徴とする。
【００１６】
また、本発明の前記入退出機は、前記被管理対象者の生体情報、又は、当該被管理対象者が保持するＩＤカードに記憶された情報を読み取ることによって当該被管理対象者を特定可能であることを特徴とする。
【発明の効果】
【００１７】
本発明の位置情報管理システムによれば、入退出機、保管庫に備えられた第１のリーダ、及び作業スペースの各箇所に設置された第２のリーダからの信号を組み合わせた判定のみで、可能な限り高精度に被管理対象者及びその携帯端末機の状態を把握可能である。
【００１８】
また、本発明によれば、入退出機、保管庫に備えられた第１のリーダ、及び作業スペースの各箇所に設置された第２のリーダといった極ありふれた装置を使用するのみで、容易な構成で、被管理対象者及びその携帯端末機の状態を把握可能である。
【００１９】
また、本発明によれば、入退出機、保管庫に備えられた第１のリーダ、及び作業スペースの各箇所に設置された第２のリーダからの信号を組み合わせた判定のみで、被管理対象者及びその携帯端末機の状態を把握可能であり、その状態情報を利用して、携帯端末機の不正使用を発見してアラームを発報する、スケジュール管理ソフトと同期させる等のように、その状態情報を種々の用途に利用可能である。
【００２０】
また、本発明によれば、入退出機、保管庫に備えられた第１のリーダ、及び作業スペースの各箇所に設置された第２のリーダからの信号を組み合わせによって得られた、被管理対象者及び携帯端末機の状態に矛盾がある場合は、入退出機からの信号を最優先し、第１のリーダからの信号を次に優先して、把握している矛盾状態を矛盾のない状態へと補正する、即ち、第２のリーダからの検知信号又は不検知信号を、他方の検知信号又は不検知信号へと強制的に変更して補正するため、可能な限り高精度に被管理対象者及びその携帯端末機の状態を把握可能である。
【００２１】
また、入退出機における入退出管理は通常の出退勤管理の一貫で普段から行われており、従業員の心理的及び作業的負担が増してしまうものではなく、また、保管庫に備えられた第１のリーダ及び作業スペースに設置された第２のリーダは、被管理対象者がＲＦＩＤタグを意識することなく、携帯端末機に内蔵又は貼付されたＲＦＩＤタグを自動的に読込みこむので、被管理対象者はＲＦＩＤタグの読取操作を行うことなく、携帯端末機の位置情報を取得することができるため、被管理対象者に心理的負担や、新たな作業を課すことなく、被管理対象者及びその携帯端末機の状態を把握可能である。
【００２２】
入退出機によって区切られた領域内では、携帯端末機の状態を基に被管理対象者の状態を把握するものであって、かつ、携帯端末機が作業スペースにおいて検知された場合は、その場所に被管理対象者がいるものと推測するものであり、仮に被管理対象者がその場から離れていても、その後に、その携帯端末機が検知された場所に戻ってくることが最も予想されることから、その場所を現在の本拠としていることを推測するものであることから、喫煙室、食堂、トイレ等の領域においてまでも被管理対象者の行動や、居場所を管理するものではなく、個人情報（個人の行動）を過度に特定することを防止して、被管理対象者に心理的負担を課すことなく、かつ、個人の行動を常時監視することによる法律問題の発生等も防止可能である。
【図面の簡単な説明】
【００２３】
【図１】本発明の実施形態に係る位置情報管理システムの構成の概要を示す図である。
【図２】本発明の実施形態に係る位置情報管理システムの実際の配置の一例を示す図である。
【図３】本発明の実施形態に係る構成ブロック図である。
【図４】本発明の実施形態の位置情報データベースに係るテーブルの例を示す図であって、（ａ）は入退出機データベースのテーブル例、（ｂ）は保管庫データベースのテーブル例、（ｃ）は作業位置データベースのテーブル例を示している。
【図５】本発明の実施形態に係る各種信号の組合せによる判定条件テーブルを示す図である。
【図６】本発明の実施形態に係る判定処理の順序の概要を示す図である。
【図７】本発明の実施形態に係るメイン処理のフローチャートである。
【図８】図７において、入退出機で信号を検出した場合の判定のフローチャートである。
【図９】図７において、保管庫で信号を検出した場合の判定のフローチャートである。
【図１０】図７において、作業スペースで信号を検出した場合の判定のフローチャートである。
【発明を実施するための形態】
【００２４】
以下、図面を参照して、本発明による位置情報管理システムを実施するための形態について説明する。本発明による位置情報管理システムは、人の入退出を把握する入退出機と、携帯端末機の入出庫を把握可能な保管庫、及び、保管庫から出庫した携帯端末機の存在を把握するリーダからの信号を組み合わせるのみで、可能な限り高精度に人及び携帯端末機の状態を把握可能とするものである。
【００２５】
［位置情報管理システムの構成］
図１乃至図４を用いて、本発明による位置情報管理システムの構成を説明する。図１は、本発明の実施形態に係る位置情報管理システムの構成の概要を示す図である。図２は、本発明の実施形態に係る位置情報管理システムの実際の配置の一例を示す図である。図３は、本発明の実施形態に係る構成ブロック図である。図４は、本発明の実施形態の位置情報データベースに係るテーブルの例を示す図であって、（ａ）は入退出機データベースのテーブル例、（ｂ）は保管庫データベースのテーブル例、（ｃ）は作業位置データベースのテーブル例を示している。
【００２６】
［システムの構成概要］
図１乃至図３に示すように、本発明に係る位置情報管理システム１は、本システムにおける被管理対象者３及びその携帯端末機５の状態を把握する位置情報管理サーバ１０、被管理対象者３の特定ができた場合にのみ通過が可能となる入退出機系２０、携帯端末機５の入出庫を確認可能な保管庫系３０、及び、入退出機によって区切られた領域の内部の少なくとも一領域に携帯端末機５が存在するか否かを確認可能な作業スペース系４０から成り、各々通信ネットワーク２に接続されており、入退出機系２０、保管庫系３０及び作業スペース系４０は、位置情報管理サーバ１０に対して取得した位置情報の送信が可能である。
【００２７】
通信ネットワーク２はＬＡＮ、イントラネット等のコンピュータネットワークである。通信ネットワーク２は、有線又は無線環境の何れか１、又は、両者が混在していても、何れかの環境でも良い。
【００２８】
被管理対象者３は、入退出機系２０に対して、何らかの方法で本人が特定されることが必要である。例えば、社員番号等の自己の身分証明をするＩＤカード４を携帯する。ＩＤカード４は、例えば、周波数帯１３．５６ＭＨｚの非接触型ＩＣカードが挙げられる。ＩＤカードとカードリーダ間の読み取り距離が短く、非接触型ＩＣカードとカードリーダを確実に接触させ、カード内のデータを読み取ることで、高い読み取り精度を得ることができる。
【００２９】
また、被管理対象者３は、ＩＤカード４を携帯せずとも、個々人によって形状等が異なる指紋、瞳の中の虹彩、静脈、声紋及び／又は顔形等を利用した生体認証によって、入退出機系２０に対して本人を特定することも考えられる。
【００３０】
［携帯端末機とそのＲＦＩＤタグについて］
携帯端末機５は、ノート型パソコンや、タブレット型端末機等を使用する。また、携帯端末機５は、物体の識別に利用される微小な無線ＩＣチップであるＲＦＩＤタグ６が貼付けられる。または、ＲＦＩＤタグ６と同等の機能が携帯端末機５に内蔵されてもよいことは当然である。ＲＦＩＤタグ６は、携帯端末機５に付随する小型の発信機として機能し、ＲＦＩＤタグ６が発信する情報としては、「タグＩＤ」、「携帯端末機ＩＤ」等がある。
【００３１】
ＲＦＩＤタグのような無線タグは形式によって、アクティブタグとパッシブタグに大きく分類される。アクティブタグは、自己の筐体内に電源を有し、自ら電波を発信するタグである。自ら電波を発信するため、リーダ／ライタとが比較的離間し距離が数十〜百数十ｍでもアンテナに送信することが可能である。
【００３２】
パッシブタグは、アンテナが発する電波を受信すると、パッシブタグに内蔵されたアンテナの静電誘導によって、電波を発生させ、アンテナに情報を返信することが可能なタグである。パッシブタグは構造が簡単であり、安価に大量生産することができる。
【００３３】
また、数ミリ程度の厚さで物品に容易に貼付することができる。しかし、自ら発信しないため、電波が弱く、パッシブタグとアンテナの交信範囲は短距離のもので数ｍｍ、長距離でも数ｍ程度に限られる。このため、強い電波を発信すると周囲の環境、機器に不都合が生じるため、工場や病院等で使用される。
【００３４】
このように、アクティブタグは広範囲で電波を受信することが可能であるという利点がある。また、パッシブタグは狭い範囲での電波の受信をするため、検知時に測定誤差が生じる場合が少ない利点があり、その一方、タグとアンテナを接触させるほど近接しなければアンテナが電波を受信しないため、限られたスペース（狭い部屋）や、検知空間を意図的に限定したい場合においての検知手段として適切ということができる。
【００３５】
本発明では、ＲＦＩＤタグ６を貼付した携帯端末機５が被管理対象者３によって移動され、その位置を被管理対象者３に意識させずに自動的に検知可能であり、アクティブタグとパッシブタグの選択については、ＲＦＩＤタグ６を検知したい室内の広さや、その室内においても一部のスペースにおいてのみ検知を行いたい等の状況に応じて適切な方式を選択することが望ましい。
【００３６】
ＲＦＩＤタグ６とリーダのアンテナとの通信は、無線通信を使用する。一般的な規格として、Ｗｉ−Ｆｉ（ｗｉｒｅｌｅｓｓ  ｆｉｄｅｌｉｔｙ：登録商標）や、ＩｒＤＡ（Ｉｎｆｒａｒｅｄ  Ｄａｔａ  Ａｓｓｏｃｉａｔｉｏｎ）を使用することが好適であるが、リーダのアンテナとタグとの間の無線通信を行うもので有れば、限定はしない。
【００３７】
現在の主流は、出力が４２６ＭＨｚ、９５０ＭＨｚ、２．４５ＧＨｚの機器である。出力が４２６ＭＨｚの場合は、約２０ｍ程度の通信が可能であり、屋内の位置検知や、入退管理に向いている。９５０ＭＨｚ、２．４５ＧＨｚ（ＩＥＥＥ８０２．１５５）はより長距離の通信が可能なので、屋外での位置検知に向いている。
【００３８】
［位置情報管理サーバについて］
位置情報管理サーバ１０は、被管理対象者３及びその携帯端末機５の状態を把握し、本発明の位置情報管理システム１の統括を担うものであって、制御部１１、表示部１２、及び位置情報データベース１３を備えている。
【００３９】
位置情報管理サーバ１０の制御部１１は、入退出機系２０、保管庫系３０及び作業スペース系４０との通信や、それら受信した情報の位置情報データベース１３への書き込み（記憶）／読み出しを行うとともに、読み出した位置情報（各種信号情報）を組み合わせて、被管理対象者３及びその携帯端末機５の状態判定（状態把握）を行うものである。
【００４０】
また、制御部１１は、位置情報管理サーバ１０の保有する各種情報及びその判定結果（把握した状態）を表示部１２に出力し、管理者、来訪者、上司、同僚等の関係者に視覚的に通知可能である。
【００４１】
また、制御部１１と、入退出機系２０、保管庫系３０及び作業スペース系４０との通信については、具体的に、それらの備える入退出機管理サーバ２１、保管庫管理サーバ３１及び作業スペース管理サーバ４１から、それらが備えるＲＦＩＤ又は生体情報用のリーダ等の読み取り情報を受信し、位置情報データベース１３に記憶したり、それら入退出機管理サーバ２１等の求めに応じてゲートの開閉の可否を判断するに資する情報を送信を行うものである。
また、制御部１１は、外部サーバ５０からの要求により、位置情報管理サーバ１０の保有する情報（位置情報データベース１３の情報）を外部サーバ５０へ送信したり、外部サーバ５０から位置情報管理サーバ１０への情報や、要求を受信したりする機能を有する。
【００４２】
表示部１２は、位置情報管理サーバ１０の各種情報を視覚的に表示する機器であり、液晶ディスプレイ（ＬＣＤ：Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等でよく、特に限定するものではない。
【００４３】
位置情報データベース１３は、入退出機系２０、保管庫系３０及び作業スペース系４０から送信された情報（各種信号）を所定のデータベーステーブルに保存し、制御部１１の指示により、データの記録、削除、更新、及び読み取りを行う。
【００４４】
データベース１３は、入退出機系２０、保管庫系３０及び作業スペース系４０の各々に対応して入退出機データベース１３ａ、保管庫データベース１３ｂ及び作業位置データベース１３ｃからなる。
【００４５】
図４に示すように、入退出機データベース１３ａ、保管庫データベース１３ｂ及び作業位置データベース１３ｃの各データベースのテーブルの内容は、例として次のように構成されている。例えば、入退出機データベース１３ａは、社員番号欄、物品ＩＤ欄（携帯端末機ＩＤ欄）、読取結果欄（入退出欄）１３ａ１等を有し、入退出機系２０から送信される読取結果を読取結果欄（入退出欄）１３ａ１に記録する。
【００４６】
また、保管庫データベース１３ｂは、例えば、保管庫番号欄、物品ＩＤ欄（携帯端末機ＩＤ欄）、読取結果欄（入出庫欄）１３ｂ１、等を有し、保管庫系３０の読取結果を読取結果欄（入出庫欄）１３ｂ１に記録する。
【００４７】
また、作業位置データベース１３ｃは、物品ＩＤ欄（携帯端末機ＩＤ欄）、読取結果欄（着座状態欄）１３ｃ１、等を有し、作業スペース系４０から送信される読取結果を読取結果欄（着座状態欄）１３ｃ１に記録する。
【００４８】
［入退出機系について］
入退出機系２０は、入退出機管理サーバ２１と、入退出機２２と、入退出用リーダ２３と、開閉扉２４からなり、被管理対象者３の、外部と作業スペースの入退出を管理する。
【００４９】
入退出機管理サーバ２１は、単数又は複数の入退出用リーダ２３からの入退場検知信号（入場信号又は退場信号）を受信し、その受信した信号を通信ネットワーク２を介して、位置情報管理サーバ１０に送信する機能を有する。
【００５０】
入退出機２２は、開閉扉２４を備えるゲートとしての機能を果たすものであり、例えば、社内と社外、ある部屋とその外側等のように、被管理対象者３の作業スぺース４２となる領域とその外部とを区切る役割を担うものである。入退場者の特定なくして、自由な入退場を制限するものであり、不正侵入者等の侵入を防ぐ役割を有する。
【００５１】
被管理対象者３は、入退出機２２に接続された入退出用リーダ２３に、社員番号等の身分証明をするＩＤカードや、自身の生体情報等を読み込ませて入退場者の特定を行わない限り、開閉扉２４は開かず、被管理対象者３は、入退出機２２を通過することができない。
【００５２】
開閉扉２４は、入退出機２２からの制御により開閉を行い、被管理対象者３の入退出を物理的に制限するものであり、フラッパーゲート、スライドドア、回転ドア等、入退場者の特定なくして、入退場が出来ない構成であれば足りる。
【００５３】
入退出用リーダ２３は、被管理対象者３の携帯するＩＤカード４や、被管理対象者３の生体情報を読み取って、その特定を行うための装置である。
【００５４】
例えば、被管理対象者３の携帯するＩＤカード４が非接触型ＩＣカードである場合、入退出用リーダ２３は、１３．５６ＭＨｚの周波数帯のカードリーダを使用する。被管理対象者３がＩＤカード４を読み込ませたもののが、読み取りに失敗した場合は、その場でエラー等の表示を行い、被管理対象者３に再度、ＩＤカード４を入退出用リーダ２３に読み込ませるように入退出機２２に備えられた表示部等を介して指示することが望ましい。
【００５５】
［保管庫系について］
保管庫系３０は、保管庫管理サーバ３１と、保管庫３２と、第１のリーダとして機能する保管庫用リーダ３３とからなり、保管庫３２内の保管スペースに保管された携帯端末機５の入出庫を管理するものである。
【００５６】
保管庫管理サーバ３１は、単数又は複数の保管庫３２の内部に設置された、単数又は複数の保管庫用リーダ３３からの入退庫検知信号（入庫信号又は退庫信号）を受信し、その受信した信号を通信ネットワーク２を介して、位置情報管理サーバ１０に送信する機能を有する。
【００５７】
保管庫３２は、携帯端末機５を保管するためのロッカー等である。通常のロッカーのように、内部に棚を設けて、複数の携帯端末機５を保管する形態でも良く、１台毎に携帯端末機５を保管する様にした、小型のロッカーでも良い。
【００５８】
保管庫用リーダ３３は、携帯端末機５に貼付又は内蔵されたＲＦＩＤタグ６を読み取るための装置である。保管庫用リーダ３３は、保管庫３２内部に、携帯端末機５のＲＦＩＤタグ６を読み取り可能な位置に、読み取り性能に応じた必要な個数を配置する。
【００５９】
例えば、保管庫用リーダ３３を、保管庫３２の内側の両壁に貼付したり、保管庫３２の内側天井に貼付したり、又は、保管庫３２の内側の棚板に保管庫用リーダ３３を内蔵しても良い。
【００６０】
［作業スペース系について］
作業スペース系４０は、作業スペース管理サーバ４１と、作業スペース４２内に配されて、第２のリーダとして機能する作業スペース用リーダ４３ａ及び／又は作業机用リーダ４３ｂとからなり、被管理対象者３が保管庫３２から取り出して持ち運ぶ携帯端末機５の位置情報を管理するものである。
【００６１】
第２のリーダとして機能する作業スペース用リーダ４３ａ及び作業机用リーダ４３ｂは、各々単数又は複数用意され、入退出機２２によって区切られた領域の内部の少なくとも一領域に保管庫３２から出庫した携帯端末機５が存在するか否かを確認するものである。
【００６２】
入退出機２２によって区切られた領域の内部の少なくとも一領域であるのは、第２のリーダを複数配しても、入退出機２２によって区切られた領域の内部の面積が広い場合や、構造が複雑である等の状況下においては、全ての場所で携帯端末機５の存在を検知して把握することは困難であることから、作業が予想される机や、会議室等に重点的に第２のリーダを配置するものである。
【００６３】
また、作業が予想されない通路、廊下、給湯室、喫煙室、食堂、トイレなどにおいては、第２のリーダを配する必要がないばかりか、それらのスペースにおいては、個人情報（個人の行動）を過度に特定してしまわないようあえて第２のリーダを設置しないようにすることができる。
【００６４】
即ち、本発明においては、入退出機２２において、入退場を行う被管理対象者３を特定した後は、入退出機２２によって区切られた領域の内部においては、被管理対象者３が領域内にいることを前提に、携帯端末機５の状態をもとに、被管理対象者３及び携帯端末機５の状態を推測するものである。
【００６５】
領域内で携帯端末機５が検知された場合は、その場所に被管理対象者３がいるものと推測するものであり、仮に被管理対象者３がその場から離れていても、その後に、その携帯端末機５が検知された場所に戻ってくることが最も予想されることから、その場所を現在の本拠としていることを推測するものである。
【００６６】
そうすることによって、喫煙室、食堂、トイレ等の領域においてまでも被管理対象者３の行動や、居場所を管理するものではなく、個人情報（個人の行動）を過度に特定することを防止して、被管理対象者に心理的負担を課すことなく、かつ、個人の行動を常時監視することによる法律問題の発生等も防止可能である。
【００６７】
作業スペース管理サーバ４１は、入退出機２２によって区切られた領域の内部に設置されて第２のリーダとして機能する作業スペース用リーダ４３ａ及び作業机用リーダ４３ｂが受信した携帯端末機５のＲＦＩＤタグ６が発する信号を受信し、その受信した信号（検知信号又は不検知信号）を通信ネットワーク２を介して、位置情報管理サーバ１０に送信する機能を有する。
【００６８】
作業スペース４２は、入退出機２２によって区切られた領域の内部において作業が予測されるようなスペースを意味し、作業机４４を設置する等、被管理対象者３が携帯用端末機５を使用することが可能であり、かつ、想定される場所である。
【００６９】
作業スペース４２に作業机４４を設置している場合は、被管理対象者３は、保管庫３２から自己に割り当てられた（指定された）携帯用端末機５を取り出し、作業机４４の上に携帯用端末機５を置いて使用する。
【００７０】
作業机４４は、市販の事務用机等でよく、特に指定するものではないが、作業机用リーダ４３ｂが設置され、作業机４４の上に置いた、携帯用端末機５に内蔵又は貼付されたＲＦＩＤタグ６を読み取ることが可能である。
【００７１】
また、作業スペース用リーダ４３ａは、作業スペース４２の壁面や、天井等に配されるものであって、作業スペース４２内における携帯端末機５のＲＦＩＤタグ６を読み取るための装置である。ここで、作業スペース用リーダ４３ａを設置せずに、作業机用リーダ４３ｂのみを設置するようにしても良いし、またはその逆に、作業スペース用リーダ４３ａのみを設置することも可能である。
【００７２】
尚、作業スペース系４０からの信号にどの第２のリーダからの信号なのかといった位置情報をも付加した場合においては、被管理対象者３及びその携帯端末機５の領域内における位置の特定も可能である。即ち、第２のリーダとして機能する作業スペース用リーダ４３ａ及び／又は作業机用リーダ４３ｂは、複数用いられることが考えられることから、ここの第２のリーダを特定することによって、被管理対象者３及びその携帯端末機５の領域内における位置の特定も可能である。
【００７３】
［各系統の検知精度について］
本発明の位置情報管理システム１は、これまでに説明した各系統、即ち、入退出機系２０、保管庫系３０及び作業スペース系４０の検知精度の差異を考慮して補正等を行うものである。
【００７４】
即ち、入退出機系２０の入退出機２２は、被管理対象者３の特定ができた場合にのみ通過が可能であることから、極めて精度（信頼性）の高い検知（入場検知又は退場検知）が可能である。次に、保管庫系３０の第１のリーダ（保管庫用リーダ）については、保管庫３２内の保管スペースという限られた空間であることから、入退出機２２の検知に次いで精度の高い検知（入庫検知又は退庫検知）が可能である。
【００７５】
そして、最後に、作業スペース系４０の第２のリーダ（作業スペース用リーダ４３ａ及び／又は作業机用リーダ４３ｂ）については、保管庫３２からの出庫後は、入退出機２２によって区切られた領域の内部であっても、前述の如く第２のリーダによって検知可能な領域（作業スペース）や、検知できない又は検知を意図しない領域（廊下、喫煙室又はトイレ等）があることや、もともと保管庫の３２保管スペースのように限られた領域があるものではないことから、その検知精度は相対的に他の２系統よりも低いこととなる。
【００７６】
本発明の位置情報管理システム１は、これら各系統の検知精度の差異を考慮して補正等を行うものであり、ＲＦＩＤタグの読取処理及び読取結果の判定処理について説明する。
【００７７】
［位置情報管理システムの読取処理及び判定処理］
以下、図５乃至図１０を参照して、本発明に係る、ＲＦＩＤタグの読取処理及び読取結果の判定処理について説明する。
【００７８】
図５は、本発明の実施形態に係る各種信号の組合せによる判定条件テーブルを示す図である。図６は、本発明の実施形態に係る判定処理の順序の概要を示す図である。図７は、本発明の実施形態に係るメイン処理のフローチャートである。図８は、図７において、入退出機で信号を検知した場合の判定のフローチャートである。は、図９は、図７において、保管庫で信号を検知した場合の判定のフローチャートである。図１０は、図７において、作業スペースで信号を検知した場合の判定のフローチャートである。
【００７９】
図３に示した位置情報管理サーバ１０の制御部１１は、入退出機データベース１３ａの読取結果欄（入退出欄）１３ａ１、保管庫データベース１３ｂの読取結果欄（入出庫欄）１３ｂ１及び作業位置データベース１３ｃの読取結果欄（着座状態欄）１３ｃ１の最新の値を図５の表にあてはめることによって、被管理対象者３及びその携帯端末機５の状態を判定する（把握する）ものである。
【００８０】
［例えば、「０１１」の場合］
例えば、各データベース（１３ａ，１３ｂ，１３ｃ）の読取結果欄（１３ａ１，１３ｂ１，１３ｃ１）におけるある物品ＩＤ（携帯端末機ＩＤ）の最新の各読取結果が、「入退出、入出庫、着座状態：０１１」の場合、被管理対象者３が例えば、社内等の入退出機２２で区切られた領域内にいること（左側「０」）、携帯端末機５が保管庫から出されていること（中側「１」）、携帯端末機５が作業スペース内の何れかに置かれていること（左側「１」）が把握できる。
【００８１】
その結果、上記ケースはパターン４に該当し、図５の状況欄に示すように、領域内（例えば、社内）において携帯端末機を用いて作業中（着座中）であることが判定（把握）される。
【００８２】
尚、作業スペース系４０からの信号にどの第２のリーダからの信号なのかといった位置情報をも付加した場合においては、その被管理対象者３及びその携帯端末機５の領域内における位置の特定も可能であることは前述の通りである。
【００８３】
［例えば、「１１１」の場合］
また、他の例としては、各データベース（１３ａ，１３ｂ，１３ｃ）の読取結果欄（１３ａ１，１３ｂ１，１３ｃ１）における他のある物品ＩＤ（携帯端末機ＩＤ）の最新の各読取結果が、「入退出、入出庫、着座状態：１１１」の場合、被管理対象者３が例えば、社外等の入退出機２２で区切られた領域外にいること（左側「１」）、携帯端末機５が保管庫から出されていること（中側「１」）、携帯端末機５が作業スペース内の何れかに置かれていること（左側「１」）が把握できる。
【００８４】
その結果、上記ケースはパターン８に該当し、図５の状況欄に示すように、領域外（例えば、社外）にいるにもかかわらず、携帯端末機５を用いて社内で作業中（着座中）であることとなり、他者による不正使用や、携帯端末機５を保管庫３２から出したまま外出した状態、即ち、しまい忘れが疑われる判定結果（把握結果）となる。
【００８５】
その場合、各データベース（１３ａ，１３ｂ，１３ｃ）の読取結果欄（１３ａ１，１３ｂ１，１３ｃ１）における最新の読取結果について、再度、読出処理を行って最新の読取結果を再度判定して、やはり不正使用や、しまい忘れが疑われる状態なのかを確認する。
【００８６】
また、例えば、通常、１５分間隔であった第１のリーダ及び第２のリーダによる読取間隔を３分等に狭めて、不正使用や、しまい忘れが疑われる携帯端末機５の監視を密に行い、不正使用がやはり疑われるのかを確認する。
【００８７】
さらには、位置情報データベース１３の各データベース（１３ａ，１３ｂ，１３ｃ）の過去データを読み出し、被管理対象者３が領域外（社外）にいる間に、携帯端末機５が出庫されたのか、着座状態となったのか等を確認し、不正使用判定の精度を高めることも可能である。
【００８８】
そして、再度の読み取りや、判定において、さらには過去データにおける変遷の確認と言った各種確認作業を経た後であっても、しまい忘れや、不正使用と判定される度合いが高いと結論付ける場合においては、アラーム（警告）の表示部１２への表示や、発報を行う。さらには、外部サーバ５０を通じたアラームの外部への出力も可能である。
【００８９】
［例えば、「００１」の場合］
また、さらなる他の例としては、各データベース（１３ａ，１３ｂ，１３ｃ）の読取結果欄（１３ａ１，１３ｂ１，１３ｃ１）における、さらに他のある物品ＩＤ（携帯端末機ＩＤ）の最新の各読取結果について、「入退出、入出庫、着座状態：００１」の場合、被管理対象者３が例えば、社内等の入退出機２２で区切られた領域内にいること（「０」）、携帯端末機５が保管庫に保管されていること（「０」）、携帯端末機５が作業スペース内の何れかに置かれていること（「１」）が把握できる。
【００９０】
その結果、上記ケースはパターン２に該当し、図５の状況欄に示すように、領域内（例えば、社内）において携帯端末機５を保管庫に保管しているものの、携帯端末機５を用いて作業中（着座中）であるとの組み合わせとなり、あり得ない状態（矛盾状態）であることが判明し、図５に示す「異常」判定となる。
【００９１】
その場合、各データベース（１３ａ，１３ｂ，１３ｃ）の読取結果欄（１３ａ１，１３ｂ１，１３ｃ１）における最新の読取結果について、再度、読出処理を行って最新の読取結果を再度判定して、やはり矛盾状態なのかを確認する。
【００９２】
また、例えば、通常、１５分間隔であった第１のリーダ及び第２のリーダによる読取間隔を３分等に狭めて、矛盾状態となっている携帯端末機５の監視を密に行い、矛盾状態なのかを確認する。
【００９３】
そして、再度の読み取りや、判定においても、矛盾状態が解消されない場合は、最も検知精度が低い、作業スペース系４０からの信号を「着座中（１）」から「着座なし（０）」へと強制的に補正して矛盾状態を解消する。
【００９４】
これは前述の如く、入退出用リーダ２３、第１のリーダ及び第２のリーダの読み取り精度の信頼性に依るものであって、入退出機系２０、保管庫系３０、作業スペース系４０の順で検知精度（信頼性）が高いことから、制御部１１は、読取結果の「入退出、入出庫着座状態、着座状態」について、「入退出」、「入出庫」、「着座状態」の順に優先順位をつけて、「入退出」と「着座状態」の結果が矛盾していた場合、「入退出」の結果を正とし、「着座状態」の結果を誤りとして、「着座状態」を強制的に補正して、矛盾状態の解消を図るものである。
【００９５】
［判定処理の順序について］
判定処理の詳細なフローチャートを説明するにあたって、図６に示すように、判定処理の順序の概要を説明する。
【００９６】
本発明の位置情報管理システム１については、被管理対象者３及びその携帯端末機５の状態を秩序立てて判定する（把握する）べく、発明者は、例えば、図６に示すように、検知精度（信頼性）の低い系統から、高い系統へと判定を行って処理を行い、最も精度の高い系統に到達した場合は、最も精度の低い系統における判定へと移行して３系統における判定を行うフローを一例として挙げるものである。
【００９７】
図６においては、判定時点又は直近に信号を検知した系統が、例えば作業スペースであれば、上段に示すように、次に、２番目に検知精度の高い保管庫における判定を行い、最後に、検知精度の高い入退出機による判定を行い、被管理対象者３及びその携帯端末機５の状態を秩序立てて判定する（把握する）。
【００９８】
尚、判定時点に信号を検知した系統とは、位置情報管理サーバ１０が各系統からの信号受信時に判定を行う場合に、受信した信号（その時点で受信した信号）の系統から判定を行っていき、予め被管理対象者３及びその携帯端末機５の状態は判定（把握）して、位置情報データベース内１３の判定結果データベース（図示せず）等に、その状態の判定結果を記憶しておき、本システムの使用者及び管理者や、外部サーバ５０等の求めに応じて、適宜、判定結果データベース（図示せず）等からの最新の状態の読み出し行い、出力することを意味する。
【００９９】
即ち、位置情報管理サーバー１０は、入退出機系２０、保管庫系３０又は作業スペース系４０の何れかからの信号を受信した場合、受信したその信号を位置情報データベース１０に記憶するとともに、受信したその信号の系統以外の他の系統（残りの系統２つ）の最新（直近）の信号を位置情報データベース１０から読み出して、３つの信号の組み合わせを行い、被管理対象者３及びその携帯端末機５の状態を把握する。
【０１００】
また、直近に信号を検知した系統とは、本システムの使用者及び管理者や、外部サーバ５０等の求めに応じて、適宜のタイミングで判定を行う場合は、最も直近に信号を受信した系統の信号から、その都度、判定作業を開始することを意味する。
【０１０１】
また同様に、図６の中段においては、判定時点又は直近に信号を検知した系統が、保管庫であれば、次に、最も検知精度の高い入退出機における判定を行い、最後に、検知精度の最も低く、未だ判定を行っていない作業スペースによる判定を行い、被管理対象者３及びその携帯端末機５の状態を秩序立てて判定する（把握する）。
【０１０２】
さらに同様に、図６の下段においては、判定時点又は直近に信号を検知した系統が、入退出機であれば、次に、最も検知精度の低い作業スペースにおける判定を行い、最後に、検知精度が２番目に高く、未だ判定を行っていない保管庫による判定を行い、被管理対象者３及びその携帯端末機５の状態を秩序立てて判定する（把握する）。
【０１０３】
以下に説明するフローはこの秩序により、判定処理の一例として作成したものであり、この判定秩序に限られるものではないことは当然である。
【０１０４】
例えば、図６に示す検知精度（信頼性）の低い系統から、高い系統へと判定を行って処理を行い、最も精度の高い系統に到達した場合は、最も精度の低い系統における判定へと移行するフローとは全く逆に、検知精度（信頼性）の高い系統から、低い系統へと判定を行って処理を行い、最も精度の低い系統に到達した場合は、最も精度の高い系統における判定へと移行して３系統における判定を行うフローでもよい。
【０１０５】
［判定処理のフローチャート詳細］
図７乃至図１０に本発明による位置情報管理システムの判定処理のフローチャートの詳細を説明する。
【０１０６】
図７に示すように、判定処理を開始にあたっては（Ｓ１）、まず、判定時点又は直近に信号を受信した系統をまず判定するものである（Ｓ２乃至Ｓ４）。
【０１０７】
例えば、入退出機系で判定時点又は直近に信号を検知した場合は、ステップ２（Ｓ２）においてＹｅｓとなり、図６の下段の秩序に従い、図８に示すように、「入退出」（Ｓ１０）→「着座状態」（Ｓ１１，Ｓ１５）→「入出庫」（Ｓ１２，Ｓ１４，Ｓ１６，Ｓ１８）の順に判定を行う。
【０１０８】
尚、図８乃至図１０において、各ステップの近傍に記載した「１＿＿」、「１＿１」、「１００」等の３桁の数字は、図５に示す「入退出（０：領域内，１：領域外）」を左側の数字が示し、「入出庫（０：庫内，１：庫外）」を中側の数字が示し、「着座状態（０：未着座，１：着座中）」を右側の数字が示している。また、「１＿＿」の如き「＿（アンダーバー）」は、未だ判定処理が行われていないことを示している。
【０１０９】
具体的に例示するに、図８において、ステップ１０（Ｓ１０）の被管理対象者３が入退出機２２の外側であれば（Ｙｅｓ：１＿＿）、ステップ１１（Ｓ１１）へと移行し、作業スペース４２に携帯端末機がなければ（Ｎｏ：１＿０）、ステップ１４へと移行し、携帯端末機５が保管庫３２に保管されていれば（Ｙｅｓ：１００）、図５に示すパターン５となる。このパターン５は、被管理対象者３及びその携帯端末機５の状態としては、被管理対象者３が領域外にいて、かつ、携帯端末機５を保管庫３２に保管している状態であることが判明し、その判定した状態を表示部１２や、外部サーバ５０への出力が可能となる。
【０１１０】
また、図８において、ステップ１０（Ｓ１０）の被管理対象者３が入退出機２２の内側であれば（Ｎｏ：０＿＿）、ステップ１５（Ｓ１５）へと移行し、作業スペース４２に携帯端末機があれば（Ｙｅｓ：０＿１）、ステップ１６へと移行し、携帯端末機５が保管庫３２に保管されていれば（Ｙｅｓ：００１）、図５に示すパターン２となる。
【０１１１】
このパターン２は、被管理対象者３及びその携帯端末機５の状態としては、被管理対象者３が領域内にいて、かつ、携帯端末機５を保管庫３２に保管しているものの、それに矛盾して、着座中（携帯端末機５が作業スペースに置いて検知されている）状態であることが判明し、判定結果に矛盾があるため（矛盾状態）、再スキャン（再度の位置情報データベースからの読み出し、及び／又は、保管庫系３０及び作業スペース系４０における再度の検知）を行う。
【０１１２】
この再スキャンを行ってもそのまま矛盾状態が続く場合は、読取結果である「００１」を「０００」へと補正し（Ｓ１７）、より精度の高い状態把握を行う。これによって、その判定した精度の高い状態を表示部１２や、外部サーバ５０への出力が可能となる。
【０１１３】
また、図８において、ステップ１０（Ｓ１０）の被管理対象者３が入退出機２２の外側であれば（Ｙｅｓ：１＿＿）、ステップ１１（Ｓ１１）へと移行し、作業スペース４２に携帯端末機５があれば（Ｙｅｓ：１＿１）、ステップ１２（Ｓ１２）へと移行し、携帯端末機５が保管庫３２から出庫していれば（Ｎｏ：１１１）、図５に示すパターン８となる。
【０１１４】
このパターン８は、被管理対象者３及びその携帯端末機５の状態としては、被管理対象者３が領域外にいるにもかかわらず、携帯端末機５が作業中（着座中）であり、携帯端末機５の不正使用や、しまい忘れの可能性が疑われることから、再スキャン（再度の位置情報データベースからの読み出し、及び／又は、保管庫系３０及び作業スペース系４０における再度の検知）の後、そのままの状態が続けば（「１１１」状態のままなら）アラームの表示・発報を行う
【０１１５】
上記説明については、図９及び図１０においても同様であり、図７において判定時点又は直近に信号を受信した系統が保管庫系である場合は、図６の中段の秩序に従い、図７のステップ３（Ｓ３）においてＹｅｓとなり、図９のステップ２０（Ｓ２０）へと移行し、その後、「入出庫」（Ｓ２０）→「入退出」（Ｓ２１，Ｓ２６）→「着座状態」（Ｓ２２，Ｓ２４，Ｓ２７，Ｓ２９）の順に判定を行い、図５に示す８パターンからなる状態を判定（把握）し、表示部１２や、外部サーバ５０への出力が可能となる。
【０１１６】
この場合、ステップ２２（Ｓ２２）において着座中判定をした場合（Ｙｅｓ：１０１）及びステップ２４（Ｓ２４）において着座中判定をした場合（Ｙｅｓ：００１）の如く、判定結果に矛盾がある場合（矛盾状態）は、再スキャンを行ってもそのまま矛盾状態が続く場合は、読み取り結果の補正を行い（Ｓ２３，Ｓ２５）、より精度の高い状態把握を行う。
【０１１７】
また、ステップ２７（Ｓ２７）において着座中判定をした場合（Ｙｅｓ：１１１）においては、被管理対象者３が領域外にいるにもかかわらず、携帯端末機５が作業中（着座中）であり、携帯端末機５の不正使用や、しまい忘れの可能性が疑われることから、所要の確認作業の後、アラームの表示・発報を行う（Ｓ２８）。
【０１１８】
図７において判定時点又は直近に信号を受信した系統が作業スペース系である場合は、図６の上段の秩序に従い、図７のステップ４（Ｓ４）においてＹｅｓとなり、図１０のステップ４０（Ｓ４０）へと移行し、その後、「着座状態」（Ｓ４０）→「入出庫」（Ｓ４１，Ｓ４７）→「入退出」（Ｓ４２，Ｓ４５，Ｓ４８，Ｓ４９）の順に判定を行い、図５に示す８パターンからなる状態を把握する。
【０１１９】
この場合、ステップ４２（Ｓ４２）において入退出判定をした場合、何れの判定となった場合であっても（１０１，００１）、携帯端末機５が保管庫内に保管されているものの、作業スペース４２においても検知されているという状態となり、判定結果に矛盾があるため（矛盾状態）、図５に示す「異常」判定となり、再スキャンを行ってもそのまま矛盾状態が続く場合は、読み取り結果の補正を行い（Ｓ４３，Ｓ４４）、より精度の高い状態把握を行う。
【０１２０】
また、ステップ４５（Ｓ４５）において領域外判定をした場合（Ｙｅｓ：１１１）においては、被管理対象者３が領域外にいるにもかかわらず、携帯端末機５が作業中（着座中）であり、携帯端末機５の不正使用や、しまい忘れの可能性が疑われることから、所要の確認作業の後、アラームの表示・発報を行う（Ｓ４６）。
【０１２１】
この発明は、その本質的特性から逸脱することなく数多くの形式のものとして具体化することができる。よって、上述した実施形態は専ら説明上のものであり、本発明を制限するものではないことは言うまでもない。
【符号の説明】
【０１２２】
１        位置情報管理システム
２        通信ネットワーク
３        被管理対象者
４        ＩＤカード
５        携帯端末機
６        ＲＦＩＤタグ
１０      位置情報管理サーバ
１１      制御部
１２      表示部
１３      位置情報データベース
１３ａ    入退出機データベース
１３ａ１  読取結果欄（入退出欄）
１３ｂ    保管庫データベース
１３ｂ１  読取結果欄（入出庫欄）
１３ｃ    作業位置データベース
１３ｃ１  読取結果欄（着席状態欄）
２０      入退出機系
２１      入退出機管理サーバ
２２      入退出機
２３      入退出用リーダ
２４      開閉扉
３０      保管庫系
３１      保管庫管理サーバ
３２      保管庫
３３      保管庫用リーダ（第１のリーダ）
４０      作業スペース系
４１      作業スペース管理サーバ
４２      作業スペース
４３ａ    作業スペース用リーダ（第２のリーダ）
４３ｂ    作業机用リーダ（第２のリーダ）
４４      作業机
５０      外部サーバ
【図１】
2014092916.tif 000003
【図２】
2014092916.tif 000004
【図３】
2014092916.tif 000005
【図４】
2014092916.tif 000006
【図５】
2014092916.tif 000007
【図６】
2014092916.tif 000008
【図７】
2014092916.tif 000009
【図８】
2014092916.tif 000010
【図９】
2014092916.tif 000011
【図１０】
2014092916.tif 000012